(57)【要約】  電子機器は、セッション開始プロトコル（ＳＩＰ）を利用して通信セッションを電子機器と要求機器との間で確立し、電子機器のインターネットプロトコル（ＩＰ）アドレスを、ＳＩＰを利用して要求機器へ提供し、ＩＰアドレスを利用した電子機器に対する要求を要求機器から受信し、当該要求の受信に応じてウェブサービスを要求機器へ提供するように動作する。
2010516131.tif 000002
【特許請求の範囲】
【請求項１】
ウェブサービスを提供させるために、電子機器を動作させる方法であって、
セッション開始プロトコル（ＳＩＰ）を利用して通信セッションを前記電子機器と、要求機器との間で確立する工程と、
前記電子機器のインターネットプロトコル（ＩＰ）アドレスを、前記ＳＩＰを利用して前記要求機器へ提供する工程と、
前記ＩＰアドレスを利用した前記電子機器に対する要求を、前記要求機器から受信する工程と、
前記要求の受信に応じて、前記ウェブサービスを前記要求機器へ提供する工程と
を備えることを特徴とする方法。
【請求項２】
前記通信セッションを確立する工程は、ＩＰマルチメディア・サブシステム（ＩＭＳ）ネットワークを介して、前記通信セッションを確立する工程を含むことを特徴とする請求項１に記載の方法。
【請求項３】
前記電子機器と関連づけられたプロファイルを、前記ＩＭＳネットワーク内のホーム加入者サーバ（ＨＳＳ）データベースに登録する工程をさらに備え、
前記プロファイルは、前記要求機器から前記電子機器へのＳＩＰ呼を完了させるために利用される前記電子機器のＳＩＰアドレスを含む
ことを特徴とする請求項２に記載の方法。
【請求項４】
前記通信セッションにおける前記ウェブサービスに対する接続の要求を示すセッション記述プロトコル（ＳＤＰ）部を含むＳＩＰ招待メッセージを、前記要求機器から受信する工程をさらに備えることを特徴とする請求項１乃至３のいずれか１項に記載の方法。
【請求項５】
前記ＳＤＰ部は、アプリケーションに設定されたメディア・サブフィールドを含むメディア記述フィールド（ｍ＝）と、ハイパーテキスト転送プロトコル（ＨＴＴＰ）に設定されたフォーマット・サブフィールド（ｆｍｔ）とを含むことを特徴とする請求項４に記載の方法。
【請求項６】
前記ＳＤＰ部はさらに、ＨＴＴＰが前記ウェブサービスへのアクセスに利用されることを示すために、ウェブサーバ属性を含む属性フィールド（ａ＝）を含むことを特徴とする請求項５に記載の方法。
【請求項７】
前記電子機器が、移動体端末であることを特徴とする請求項１乃至６のいずれか１項に記載の方法。
【請求項８】
コンピュータ可読媒体上に具現化されたコンピュータ可読プログラムコードを含むコンピュータプログラムであって、
前記コンピュータ可読プログラムコードは、請求項１乃至７のいずれか１項に記載の方法を実行するように構成されていることを特徴とするコンピュータプログラム。
【請求項９】
電子機器であって、
通信セッションを前記電子機器と要求機器との間で、セッション開始プロトコル（ＳＩＰ）を利用して確立し、前記電子機器のインターネットプロトコル（ＩＰ）アドレスを前記要求機器に前記ＳＩＰを利用して提供するように構成された通信モジュールと、
前記ＩＰアドレスを利用した前記要求機器からの前記電子機器に対する要求を受信し、前記要求の受信に応じてウェブサービスを前記要求機器に提供するように構成されたウェブサーバと
を備えることを特徴とする電子機器。
【請求項１０】
前記通信モジュールは、ＩＰマルチメディア・サブシステム（ＩＭＳ）ネットワークを介して前記通信セッションを確立するようにさらに構成されていることを特徴とする請求項９に記載の電子機器。
【請求項１１】
前記通信モジュールは、前記電子機器と関連づけられたプロファイルを、前記ＩＭＳネットワーク内のホーム加入者サーバ（ＨＳＳ）データベースに登録するように更に構成され、
前記プロファイルは、前記要求機器から前記電子機器へのＳＩＰ呼を完了させるために利用される前記電子機器のＳＩＰアドレスを含む
ことを特徴とする請求項１０に記載の電子機器。
【請求項１２】
前記通信モジュールは、前記通信セッションにおける前記ウェブサービスに対する接続の要求を示すセッション記述プロトコル（ＳＤＰ）部を含むＳＩＰ招待メッセージを前記要求機器から受信するようにさらに構成されていることを特徴とする請求項９乃至１１のいずれか１項に記載の電子機器。
【請求項１３】
前記ＳＤＰ部は、アプリケーションに設定されたメディア・サブフィールドを含むメディア記述フィールド（ｍ＝）と、ハイパーテキスト転送プロトコル（ＨＴＴＰ）に設定されたフォーマット・サブフィールド（ｆｍｔ）とを含むことを特徴とする請求項１２に記載の電子機器。
【請求項１４】
前記ＳＤＰ部はさらに、ＨＴＴＰが前記ウェブサービスへのアクセスに利用されることを示すために、ウェブサーバ属性を含む属性フィールド（ａ＝）を含むことを特徴とする請求項１３に記載の電子機器。
【請求項１５】
移動体端末であることを特徴とする請求項９乃至１４のいずれか１項に記載の電子機器。
【請求項１６】
通信ネットワークを動作させる方法であって、
第１の電子機器に、パブリック・インターネットプロトコル（ＩＰ）アドレスを有しない第２の電子機器がウェブサーバを有することを通知するためにセッション開始プロトコル（ＳＩＰ）を利用する工程
を備えることを特徴とする方法。
【請求項１７】
前記第１の電子機器に前記第２の電子機器がウェブサーバを有することを通知するために前記ＳＩＰを利用する工程は、前記第２の電子機器のＩＰアドレスを前記第１の電子機器に提供するためにＳＩＰを利用する工程を含むことを特徴とする請求項１６に記載の方法。
【請求項１８】
ウェブサービスの要求を、前記第２の電子機器のＩＰアドレスを利用して、前記第１の電子機器から前記第２の電子機器のウェブサーバへ送信する工程と、
前記ウェブサービスを前記第２の電子機器から前記第１の電子機器へ、前記第２の電子機器での前記要求の受信に応じて提供する工程と
を更に備えることを特徴とする請求項１７に記載の方法。
【請求項１９】
前記通信ネットワークは、ＩＰマルチメディア・サブシステム（ＩＭＳ）ネットワークであることを特徴とする請求項１８に記載の方法。
【請求項２０】
前記第２の電子機器と関連づけられたプロファイルを、前記ＩＭＳネットワーク内のホーム加入者サーバ（ＨＳＳ）データベースに登録する工程をさらに備え、
前記プロファイルは、前記第１の電子機器から前記第２の電子機器へのＳＩＰ呼を完了させるために利用される前記第２の電子機器のＳＩＰアドレスを含む
ことを特徴とする請求項１９に記載の方法。
【請求項２１】
前記第２の電子機器は、移動体端末であることを特徴とする請求項１６乃至２０のいずれか１項に記載の方法。
【発明の詳細な説明】
【技術分野】
【０００１】
本発明は、通信ネットワークに関連する。より詳細には、電話ベースのウェブサーバを発見するための方法、電子機器、通信ネットワーク及びコンピュータプログラムに関する。
【０００２】
本出願は、２００７年１月１６日に出願された米国仮特許出願第６０／８８０５５７に基づく優先権を主張するものであり、その内容は引用により本明細書に組み込まれる。
【背景技術】
【０００３】
インターネットは分散化されたコンピュータネットワークであり、そこではコンピュータが互いにインターネット・プロトコル（ＩＰ）を介して通信が可能である。インターネットは、ワールド・ワイド・ウェブ（ＷＷＷ）サービス設備を含む。ＷＷＷサービス設備は、クライアント／サーバベースの設備であって、ウェブページやファイルが存在する多数のサーバ（インターネットに接続されたコンピュータ）や、ユーザとウェブ・ページとの間のインタフェースを提供するクライアント（ウェブ・ブラウザ）を含む。ＷＷＷのトポロジーは、ネットワーク・サービス・プロバイダ或いはＮＰＳと呼ばれるネットワークサービスの提供者を有する、複数ネットワークのネットワークとして記述することができる。アプリケーション・レイヤのサービスを提供するサーバは、アプリケーション・サービス・プロバイダ（ＡＳＰ）と呼ばれてもよい。単一のサービス・プロバイダが両方の機能を提供する場合もある。
【０００４】
ウェブ・サーバは、例えば移動体端末内に設けられ、様々な方法で利用されてもよい。例えば、ユーザは自分の友人や家族が、ユーザの電話に存在する写真アルバムや他のメディアにアクセスすることを許可してもよい。ユーザは、第３者のサービスプロバイダに頼らなくても、ブログを生成、主催することができる。ユーザは、移動体端末を静止画モード或いは動画モードの遠隔カメラとして利用することもできる。ユーザは、移動体端末内の電話帳やアドレス帳にアクセスして、例えば、より便利なキーボードやディスプレイを有するコンピュータを使って、遠隔的にそれを編集することができる。職場の同僚が、互いのカレンダに安全にアクセスして予定を確認し、会社のネットワークにアクセスすることなく打ち合わせの日程を予約することもできる。ユーザは電話を置いてきてしまった場合であっても、遠隔地にて移動体端末に安全にアクセスして、到来メッセージを確認することもできる。
【０００５】
不幸にも、移動体端末は典型的には、インターネット・プロトコル（ＩＰ）アドレスにより、ドメイン・ネーム・システム（ＤＮＡ）を介して発見することができない。これは、それらのＩＰアドレスがプライベートアドレスだからである。さらに、移動体端末のＩＰアドレスはしばしば動的であり、非常に多くの数の移動体端末がサービス提供を受けているので、ＩＰアドレスを移動体端末のために登録しておくことは実践的ではない。
【発明の概要】
【０００６】
発明のいくつかの実施形態によれば、電子機器は、セッション開始プロトコル（ＳＩＰ）を利用して通信セッションを電子機器と、要求機器との間で確立し、電子機器のインターネットプロトコル（ＩＰ）アドレスを、ＳＩＰを利用して要求機器へ提供し、ＩＰアドレスを利用した電子機器に対する要求を、要求機器から受信し、要求の受信に応じて、ウェブサービスを要求機器へ提供するように動作する。
【０００７】
他の実施形態では、通信セッションの確立は、ＩＰマルチメディア・サブシステム（ＩＭＳ）ネットワークを介して、通信セッションを確立することを含む。
【０００８】
更に他の実施形態では、更に、電子機器と関連づけられたプロファイルを、ＩＭＳネットワーク内のホーム加入者サーバ（ＨＳＳ）データベースに登録し、プロファイルは、要求機器から電子機器へのＳＩＰ呼を完了させるために利用される電子機器のＳＩＰアドレスを含む。
【０００９】
更に他の実施形態では、更に、通信セッションにおけるウェブサービスに対する接続の要求を示すセッション記述プロトコル（ＳＤＰ）部を含むＳＩＰ招待メッセージを、要求機器から受信する。
【００１０】
更に他の実施形態では、ＳＤＰ部は、アプリケーションに設定されたメディア・サブフィールドを含むメディア記述フィールド（ｍ＝）と、ハイパーテキスト転送プロトコル（ＨＴＴＰ）に設定されたフォーマット・サブフィールド（ｆｍｔ）とを含む。
【００１１】
更に他の実施形態では、ＳＤＰ部はさらに、ＨＴＴＰがウェブサービスへのアクセスに利用されることを示すために、ウェブサーバ属性を含む属性フィールド（ａ＝）を含む。
【００１２】
更に他の実施形態では、電子機器は移動体端末である。
【００１３】
更に他の実施形態では、電子機器を動作させるための、コンピュータ可読媒体上に具現化されたコンピュータ可読プログラムコードを含むコンピュータプログラムである。当該コンピュータ可読プログラムコードは、セッション開始プロトコル（ＳＩＰ）を利用して通信セッションを電子機器と、要求機器との間で確立し、電子機器のインターネットプロトコル（ＩＰ）アドレスを、ＳＩＰを利用して要求機器へ提供し、ＩＰアドレスを利用した電子機器に対する要求を、要求機器から受信し、要求の受信に応じて、ウェブサービスを要求機器へ提供するように構成されたコンピュータ可読プログラムコードを含む。
【００１４】
本発明の更なる実施形態では、電子機器が、通信セッションを電子機器と要求機器との間で、セッション開始プロトコル（ＳＩＰ）を利用して確立し、電子機器のインターネットプロトコル（ＩＰ）アドレスを要求機器にＳＩＰを利用して提供するように構成された通信モジュールと、ＩＰアドレスを利用した要求機器からの電子機器に対する要求を受信し、要求の受信に応じてウェブサービスを要求機器に提供するように構成されたウェブサーバとを備える。
【００１５】
更に他の実施形態では、通信モジュールは、ＩＰマルチメディア・サブシステム（ＩＭＳ）ネットワークを介して通信セッションを確立するようにさらに構成されている。
【００１６】
更に他の実施形態では、通信モジュールは、電子機器と関連づけられたプロファイルを、ＩＭＳネットワーク内のホーム加入者サーバ（ＨＳＳ）データベースに登録するように更に構成され、プロファイルは、要求機器から電子機器へのＳＩＰ呼を完了させるために利用される電子機器のＳＩＰアドレスを含む。
【００１７】
更に他の実施形態では、通信モジュールは、通信セッションにおけるウェブサービスに対する接続の要求を示すセッション記述プロトコル（ＳＤＰ）部を含むＳＩＰ招待メッセージを要求機器から受信するようにさらに構成されている。
【００１８】
更に他の実施形態では、ＳＤＰ部は、アプリケーションに設定されたメディア・サブフィールドを含むメディア記述フィールド（ｍ＝）と、ハイパーテキスト転送プロトコル（ＨＴＴＰ）に設定されたフォーマット・サブフィールド（ｆｍｔ）とを含む。
【００１９】
更に他の実施形態では、ＳＤＰ部はさらに、ＨＴＴＰがウェブサービスへのアクセスに利用されることを示すために、ウェブサーバ属性を含む属性フィールド（ａ＝）を含む。
【００２０】
更に他の実施形態では、電子機器は移動体端末である。
【００２１】
本発明の他の実施形態では、通信ネットワークは、第１の電子機器に、パブリック・インターネットプロトコル（ＩＰ）アドレスを有しない第２の電子機器がウェブサーバを有することを通知するためにセッション開始プロトコル（ＳＩＰ）を利用するように動作する。
【００２２】
更に他の実施形態では、第１の電子機器に第２の電子機器がウェブサーバを有することを通知するためにＳＩＰを利用することには、第２の電子機器のＩＰアドレスを第１の電子機器に提供するためにＳＩＰを利用することが含まれる。
【００２３】
更に他の実施形態では、更に、ウェブサービスの要求を第２の電子機器のＩＰアドレスを利用して第１の電子機器から第２の電子機器のウェブサーバへ送信し、ウェブサービスを第２の電子機器から第１の電子機器へ第２の電子機器での要求の受信に応じて提供する。
【００２４】
更に他の実施形態では、通信ネットワークは、ＩＰマルチメディア・サブシステム（ＩＭＳ）ネットワークである。
【００２５】
更に他の実施形態では、更に、第２の電子機器と関連づけられたプロファイルを、ＩＭＳネットワーク内のホーム加入者サーバ（ＨＳＳ）データベースに登録し、プロファイルは、第１の電子機器から第２の電子機器へのＳＩＰ呼を完了させるために利用される第２の電子機器のＳＩＰアドレスを含む。
【００２６】
更に他の実施形態では、第２の電子機器は、移動体端末である。
【００２７】
本発明の他の特徴は、添付の図面を参照の上で、特定の実施形態に関する以下の説明を読むことで、直ちに理解されよう。
【図面の簡単な説明】
【００２８】
【図１】発明のいくつかの実施形態に従うインターネット・プロトコル（ＩＰ）マルチメディア・サブシステム（ＩＭＳ）ネットワーク構造を示すブロック図である。
【図２】発明のいくつかの実施形態に従う、電子機器／移動体端末を示すブロック図である。
【図３】発明のいくつかの実施形態に従う、ウェブサービス提供のためにプライベートＩＰアドレスを有する電子機器を動作させるための処理のフローチャートである。
【発明を実施するための形態】
【００２９】
本発明は、様々な修正や代替的な形態を受け入れる余地があるが、特定の実施形態を図面に示し、詳述するものである。しかしながら、記載した特定の形態に本発明を限定する意図はなく、むしろ本発明は、特許請求の範囲で定義される発明の精神及び範囲に含まれる全ての修正、均等物及び代替物を包含するものである。全体を通じて、類似の番号は類似の要素を指す。
【００３０】
本書面で使用する場合、単数形の表現は、複数形式のものも同様に含むことが意図されている。但し、文脈において複数形式を明らかに除外している場合にはその限りではない。また、「備える（"comprising"又は"comprise"）」の語は、記載された特徴、数値、工程、動作、要素、及びコンポーネントの少なくともいずれかの存在を表す一方で、１以上の他の特徴、数値、工程、動作、要素、コンポーネント及びそれらの組合せの少なくともいずれかの存在又は追加を排除するものではない。また、要素が別の要素に「接続」または「結合」されていると言うとき、その別の要素に直接に接続、または結合されていても、介在要素が存在していてもよいことを理解されたい。さらに、「接続」または「結合」されているという場合、無線により接続または結合されている場合を含むことができる。また、「及び／又は（"and/or"）」との語は、列挙された事項の１つ以上のあらゆる結合、及び、全ての結合を含むものとして、理解されよう。
【００３１】
他に特に定義しない限り、使用される全ての用語（技術用語、科学用語を含む）は、本発明が属する技術分野における当業者が通常理解する意味と同一の意味を有するものとして使用される。また、共通に使用される辞書において定義されているような用語は、関連技術の文脈における意味と一致した意味で解釈されるべきであり、本明細書において特に定義しない限りは、理想的に、或いは、過度に形式ばった意味において解釈されるべきではない。
【００３２】
本発明は、方法、電子機器及びコンピュータプログラムの少なくともいずれかとして実施されても良い。従って、本発明は、ハードウェア及びソフトウェア（ファームウェア、常駐ソフトウェア、マイクロコード等）の少なくともいずれかの形態において実施することができる。さらに、本発明は、コンピュータで利用可能な記憶媒体やコンピュータ読み取り可能な記憶媒体に格納され、命令実行システムによる使用、或いは、それとの関連での使用のために媒体において具現化される、コンピュータで利用可能な、或いは、コンピュータで読み取り可能なプログラムコードを有するコンピュータプログラムの形態を有することができる。本明細書の文脈では、コンピュータで利用可能な、或いは読み取り可能な媒体は、命令実行システム、装置、或いは機器による使用、或いは、それとの関連での使用のために、プログラムを含む、格納する、或いは、搬送することが可能な媒体であればいかなる媒体であっても良い。
【００３３】
コンピュータで利用可能な、或いは、読み取り可能な媒体は、例えば、電子的、時期的、光学的、電磁気的、赤外線、或いは、半導体システム装置やデバイスであってもよいが、それらに限定されるものでもない。コンピュータ可読媒体の更に特定の例（不完全リスト）では、携帯型コンピュータのディスケット、ＲＡＭ、ＲＯＭ、ＥＰＲＯＭやフラッシュメモリ（登録商標）、ＣＤ−ＲＯＭがある。
【００３４】
本明細書で使用される、「移動体端末」との用語は、マルチライン・ディスプレイを有する／有しない衛星無線電話やセルラー無線電話、セルラー無線電話とデータ処理、ファクシミリ及びデータ通信機能を結合したような個人用通信システム（ＰＣＳ）端末、無線電話、ページャー、インターネット／イントラネット接続、ウェブ・ブラウザ、オーガナイザ、カレンダ及びＧＰＳ受信機を含むことのできるＰＤＡ、及び、従来型のラップトップやパームトップ受信機、無線電話送受信器を含む他のアプライアンスを含むことができる。
【００３５】
例示のために、本発明は移動体端末の文脈において記述される。しかしながら、本発明はそのような実施形態に限定されるものではなく、ウェブサーバを包含する電子機器として一般的に実施されてもよいことは理解されよう。
【００３６】
本明細書で使用される「ＩＰ端末、或いは、ＩＰ機器」との用語は、セッション開始プロトコル（ＳＩＰ）を利用して通信を行うことが可能な端末或いは機器のことをいう。ＩＰ端末やＩＰ機器は、ＳＩＰを利用してメディア・ゲートウェイを介して通信を行う装置のこともいうと理解されよう。ここでメディア・ゲートウェイは、例えば、ＩＰネットワークと、公衆交換電話網や回線交換無線網のような他のネットワークとの間で通信の変換を行う。本明細書で使用される「メッセージ」は、全体として、或いはセグメントに分割して、ある機器から別の機器へ電子的に送信可能な、情報の単位及びデータブロックの少なくともいずれかを意味する。従って、本明細書において使用される「メッセージ」の用語は、やはり送信単位に言及する際に用いられる「フレーム」及び「パケット」のような技術用語を包含しても良い。
【００３７】
本発明のいくつかの実施形態は、移動体端末のインターネット・プロトコル（ＩＰ）アドレスは典型的には公には利用可能ではないが、それでも移動体端末はウェブサーバとしてホストすることができ、ウェブサーバは例えばインターネット・プロトコル（ＩＰ）マルチメディア・サブシステム（ＩＭＳ）ネットワーク上でＳＩＰを利用して他の機器から発見可能であるかも知れない、との認識に端を発している。
【００３８】
ＩＭＳはコアのパケット交換網内でのマルチメディアサービスの制御、統合を定義するために開発された標準である。特にＩＭＳアーキテクチャは、ＩＰネットワークで通信セッションを確立するためのＳＩＰとして知られているシグナリング・プロトコル論理機能のセットを定義する。「セッション」は、例えば、１対１の音声呼、或いは、マルチメディアサービスを含む１対多数の会議呼のような、より複雑なインタラクションであっても良い。ＳＩＰは、ＶｏＩＰ（voice over IP）サービスを促進するためにも利用されてもよく、そこでは、ＩＰデータパケットにおいて音声が送信され、受信側で再構成されて音声信号に変換される。ＩＭＳは、ＩＰ機器及びネットワークをＳＩＰを利用して接続する標準化された方法として特徴づけられてもよい。
【００３９】
ここで図１を参照すると、本発明のいくつかの実施形態に対応する典型的な通信ネットワーク１００は、パケット交換網１２０と結合されたＩＭＳネットワーク１１０を含む。パケット交換網１２０は、ＩＭＳネットワーク１１０に、移動体端末、ＷｉＦｉ搭載のコンピューティング機器、モデム、及び他の機器といった機器１０、２０との接続性を与えることができる。機器は、ＩＭＳネットワーク１１０とどのようなインタフェースにより接続しても良く、一般的には機器の性質に依存する。機器１０、２０は、ＳＩＰを介して通信可能なＩＰ機器を含んでいてもよい。特に、電子機器２０は、本発明のいくつかの実施形態に従うウェブサーバを含む移動体端末であってもよい。
【００４０】
本発明のいくつかの実施形態に対応するＩＭＳネットワーク１１０は、標準的なインタフェースでリンクされた様々な異なる機能を提供するように構成された装置を含む。一般に、ＩＭＳネットワーク１１０の機能には、ＳＩＰサーバやプロキシの機能の束が含まれ、これらは、ＩＭＳネットワーク１１０内のＳＩＰシグナリング・パケットを処理するために利用される、呼セッション制御機能（ＣＳＣＦ）１３０とまとめて呼ばれる。ＣＳＣＦ１３０は、単一サーバ、個々のサーバ、或いは、例えばサーバ・ファーム内に設置されているか、或いは、異なる地理的領域に配置されているサーバのネットワークとして、実現されてもよいことは理解されよう。ＣＳＣＦ１３０の機能には、ＩＭＳネットワーク１１０への機器の登録、シグナリング・メッセージのルーティングと検査、ユーザ認証とセキュリティ関連、圧縮・解凍と他の信号処理機能、リソース認証、ポリシー遂行、帯域幅管理及び課金記録生成が含まれてもよい。本発明のいくつかの実施形態によれば、これらの機能は、プロキシＣＳＣＦ（Ｐ−ＣＳＣＦ）１４０、インタロゲーティングＣＳＣＦ（Ｉ−ＣＳＣＦ）１６０、サービングＣＳＣＦ（Ｓ−ＣＳＣＦ）１５０及び様々な他の機能、ゲートウェイ等といった、いくつかの呼セッション管理機能プロキシやサーバに割り当てられてもよいことは理解されよう。
【００４１】
Ｐ−ＣＳＣＦ１４０は、ＩＰ端末／機器１０、２０のためのＩＭＳネットワーク１１０に対するインタフェースとして機能する、ＳＩＰプロキシとして構成されてもよい。Ｐ−ＣＳＣＦ１４０は、ＩＰ端末／機器の登録や、機器１０、２０とサービスプロバイダとの間のＳＩＰメッセージ及びＨＴＴＰ（HyperText Transfer Protocol）シグナリングメッセージの少なくともいずれかのルーティングを可能としてもよい。Ｐ−ＣＳＣＦ１４０は、機器１０とパケットネットワーク１１０を介して通信してもよいし、回線交換ネットワークと結合された機器と、マルチメディア・ゲートウェイ・制御機能（不図示）を介して通信してもよい。
【００４２】
Ｓ−ＣＳＣＦ１５０は、セッション制御を行い、ホーム加入者サーバ（ＨＳＳ）データベース１７０と通信する。ＨＳＳ１７０は、サービスプロファイルと各エンドユーザ及び、ＩＭＳネットワーク１１０に登録している関連ＩＰ端末／機器のための他の情報を保持している。プロファイル及び他の情報は、ＩＰアドレス情報、ローミング情報及び電話サービス情報の少なくともいずれかが含まれるが、これらに限定されるものでもない。Ｓ−ＣＳＣＦ１５０は、ＩＰ端末のＩＰアドレスをＳＩＰアドレスと関連づけるためのＳＩＰレジストレーションを管理する。Ｓ−ＣＳＣＦ１５０は全てのシグナリングメッセージを検査し、どのアプリケーションサーバにＳＩＰメッセージをルーティングするかを決定する。Ｉ−ＣＳＣＦ１６０は管理ドメインの境界を定義する。遠隔サーバがＩ−ＣＳＣＦ１６０を発見して、ＳＩＰパケット／メッセージのこのドメインに対するエントリポイントとして利用することができるように、Ｉ−ＣＳＣＦ１６０のためのＩＰアドレスはＤＮＳを介して公にアクセス可能である。
【００４３】
通信ネットワーク１００の様々な要素は、インターネットや他の公にアクセス可能なネットワークのようなグローバルネットワークにより接続されてもよい。ネットワークの様々な要素は、一般公衆がアクセスできないかもしれないワイド・エリア・ネットワーク、ローカル・エリア・ネットワーク、イントラネット及び他のプライベートネットワークのうち少なくともいずれかにより相互接続されてもよい。このように、通信ネットワーク１００は、パブリックネットワーク及びプライベートネットワーク、或いは、仮想プライベートネットワーク（ＶＰＮ）の組合せにより構成されてもよい。図１は、典型的な通信ネットワークを図解するものであるが、本発明はこのような構成に限定されるものではなく、本書面で記述する動作を実行可能なあらゆる構成を包含することが意図されるものである。
【００４４】
図２を参照すると、本発明のいくつかの実施形態に対応する図１の移動体端末２０を実施するために利用されてもよいところの典型的な移動体端末２００は、プロセッサ２４０と通信する、ビデオレコーダ２０２、カメラ２０５、マイクロフォン２１０、キーボード／キーパッド２１５、スピーカ２２０、ディスプレイ２２５、送受信器２３０及びメモリ２３５を含む。送受信器２３０は、送信回路２４５と受信回路２５０を含み、これらはそれぞれアンテナ２５５を介して、送出する無線周波数信号を基地局送受信機へ送信し、到来する無線周波数信号を基地局送受信機から受信する。移動体端末２００と基地局送受信機との間で送信される無線周波数信号は、他のパーティや宛先との通信を確立し、維持するために利用される、トラヒック信号と制御信号（例えば、到来呼のためのページング信号／メッセージ）の両方を含むことができる。無線周波数信号はまた、例えば、セルラー・デジタル・パケット・データ（ＣＤＰＤ）情報のようなパケットデータ情報を含んでいてもよい。移動体端末２００の上述の構成要素は、多くの従来の移動体端末に含まれていてもよく、それらの機能は当業者には一般に知られたものである。
【００４５】
プロセッサ２４０は、メモリ２３５とアドレス／データバスを介して通信する。プロセッサ２４０は、例えば市場で購入可能な、或いは、カスタムのマイクロプロセッサであってもよい。メモリ２３５は、本発明のいくつかの実施形態に対応する、プライベートＩＰアドレスを有する電話ベースのウェブサーバを提供するために利用されるソフトウェ及びデータを含む１以上のメモリ機器を表すものである。メモリ２３５は、キャッシュ、ＲＯＭ、ＰＲＯＭ、ＥＰＲＯＭ、ＥＥＰＲＯＭ、フラッシュ、ＳＲＡＭ及びＤＲＡＭといったタイプの機器を含むことができるが、それに限定されるものでもない。
【００４６】
図２に示すように、メモリ２３５は、オペレーティングシステム２６５、通信モジュール２７０及びウェブサーバ２７５の３種類まで、或いはそれ以上の種類のソフトウェア及び／又はデータを含むことができる。オペレーティングシステム２６５は、移動体端末２００の動作を全般的に制御する。特に、オペレーティングシステム２６５は、移動体端末のソフトウェア及び／又はハードウェアのリソースを管理し、プロセッサ２４０によるプログラムの実行を調整することができる。通信モジュール２７０は、移動体端末２００がＳＩＰを利用して通信セッションを確立することができるようにするために、ＳＩＰ機能を実装するように構成されてもよい。さらに、通信モジュール２７０は、例えば、ＨＳＳ１７０に移動体端末２００を登録するために、図１のＩＭＳネットワーク１１０と通信するように構成されてもよい。通信モジュール２７０は更に、ＩＰを利用して通信を実行するためにＩＰスタックを含んでいてもよい。ウェブサーバ３７５は、ウェブサーバ３７５が登録しているインターネットサーバを通じて転送され、機器から受信した要求に応じて、ウェブサービスを該要求機器へ送信するように構成されていてもよい。ウェブサーバは、ストリーミングやダウンロードなどによるブログ、写真アルバム、音声／動画ファイルといった様々なウェブサービスを提供してもよいが、これらに限定されるものではない。
【００４７】
図１に関して上述したように、ＩＭＳはＳＩＰを利用して通信セッションを、例えば移動体端末、コンピュータ等の２つのエンドポイント間で確立する。ＳＩＰは、セッション記述プロトコル（ＳＤＰ）と呼ばれるプロトコルを利用して、通信セッションの記述の詳細を、参加者に伝達する。ＳＤＰは、通信セッションメタデータを記述するための標準的表現を参加者へ提供する。一般にＳＤＰは、アプリケーションがセッションに加入し、リソースについて知る必要がある未参加者に対して使用リソースをアナウンスするのに十分な情報を伝達するために利用される。本発明のいくつかの実施形態によれば、ＳＤＰは「ウェブサーバ」を第１の機器とウェブサーバを含む第２の機器（たとえ第２の機器がプライベートＩＰアドレスを有しているとしても）との間の性能として交渉するのに利用される。
【００４８】
図２は、プライベートＩＰアドレスを有する電話ベースのウェブサーバを提供するために利用される典型的なソフトウェアとハードウェアの構造を示すが、本発明はここに示す構成に限定されず、説明する動作を実行可能な構成を包含することを意図していることは理解されよう。
【００４９】
図１から３に関して上述した、機器及び／又はシステムの動作を実行するためのコンピュータプログラムコードは、開発の利便性に応じてＪａｖａ（登録商標）、Ｃ，及び／又はＣ＋＋といった高度なプログラミング言語を用いて記述されてもよい。また、発明の実施形態の動作を実行するためのコンピュータプログラムコードはまた、インタプリータ言語のような他のプログラミング言語により記述されてもよいが、これに限定されるものでもない。いくつかのモジュールやルーチンは、パフォーマンスやメモリ利用を改善するために、アセンブリ言語やマイクロコードで記述されてもよい。いくつか、或いは、全てのプログラムモジュールの機能は、ディスクリートのハードウェア・コンポーネントや、１以上のＡＳＩＣ（アプリケーション専用集積回路）、或いは、プログラム可能なデジタル信号プロセッサやマイクロコントローラを用いて実施されてもよい。
【００５０】
以下では、本発明を、発明のいくつかの実施形態に対応する方法、移動体端末、電子機器、通信ネットワーク及び／又はコンピュータプログラムを示すフローチャート及び／又はブロック図を参照して説明する。
【００５１】
これらのフローチャートやブロック図は、本発明のいくつかの実施形態に対応する、プライベートＩＰアドレスを有する電話ベースのウェブサーバを発見するための典型的な動作を示す。フローチャートやブロック図の各ブロックやブロックの組合せは、コンピュータプログラム命令及び／又はハードウェア動作により実施されることは理解されよう。命令がコンピュータや他のプログラム可能なデータ処理装置のプロセッサにより実行されて、フローチャートやブロック図の１以上のブロックで特定される機能を実施する手段を構成するように、これらのコンピュータプログラム命令は、汎用コンピュータ、特定用途コンピュータ或いは、他のプログラム可能なデータ処理装置に提供されてマシーンが形成される。
【００５２】
これらのコンピュータプログラム命令は、コンピュータで利用可能、或いは、読取可能なメモリに格納され、コンピュータで利用可能／読取可能なメモリに格納された命令が、フローチャートやブロック図の１以上のブロックで特定される機能を実施する命令を含む製品を形成するように、コンピュータや他のプログラム可能なデータ処理装置が特定の方法において機能するように働きかける。
【００５３】
コンピュータや他のプログラム可能な装置で実行される命令が、フローチャートやブロック図の１以上のブロックで特定される機能を実施するためのステップを提供するように、コンピュータプログラム命令はまた、コンピュータや他のプログラム可能なデータ処理装置へロードされ、一連の動作ステップがコンピュータや他のプログラム可能な装置上で実行され、コンピュータ実行処理が実現される。
【００５４】
図３を図１及び図２とともに参照すると、本発明のいくつかの実施形態に対応するウェブサービスを提供するためにプライベートＩＰアドレスを有する電子機器の動作は、ブロック３１０で開始され、そこでは、図１の移動体端末２０が、そのプロファイルをＩＭＳネットワーク１１０のＨＳＳ１７０に登録する。上述のように、プロファイルには、移動体端末２０へのＳＩＰ呼を実行するために他の機器が利用可能な移動体端末２０のＳＩＰアドレスが含まれてもよい。さらに、Ｓ−ＣＳＣＦ１５０は、移動体端末２０と関連づけられたＩＰアドレスを、移動体端末２０のＳＩＰアドレスと関連づけてもよい。
【００５５】
ブロック３２０では、図１の機器１０のような機器が、通信セッションを移動体端末２０との間で確立する。これは、アダムというユーザに関連づけられた機器１０と、ボブというユーザに関連づけられた移動体端末２０とを例として説明することができる。移動体端末２０内に存在するウェブサーバ２７５（図２参照）への接続としての通信セッションをネゴーシエイトするためにＳＤＰを利用して、ＳＩＰ招待メッセージが機器１０から移動体端末２０へ送信される。例えば、ＳＤＰは、m=＜media＞ ＜port＞ ＜protocol＞ ＜fmt＞のフォーマットを有する"m="で定義されるメディア記述フィールドを含む。ここで、ｆｍｔはフォーマット記述の略である。本発明のいくつかの実施形態によれば、「ウェブサーバ」機能とネゴーシエイトするために、「メディア」サブフィールドが「アプリケーション」に設定されてもよく、フォーマット記述のサブフィールドが「ＨＴＴＰ」に設定されてもよい。ＳＤＰあはまた、a=＜attribute＞のフォーマットを有する"a="で定義される属性フィールドを含む。本発明のいくつかの実施形態によれば、属性フィールドは、「ウェブサーバ」と設定されてもよい。ＨＴＴＰは、他のタイプのサービスにも利用可能であるので、属性フィールドは、ウェブサービスへアクセスするためにＨＴＴＰがウェブサーバとの通信に利用されることを明示するために利用されてもよい。
【００５６】
このように、本発明の特定の実施形態では、機器１０（アダム）と移動体端末２０（ボブ）との間のＳＩＰ招待メッセージが以下のように構成される。
INVITE sip:bob@example.com SIP/2.0
Via: SIP/2.0/UDP 100.101.102.103:5060 
To: Bob ＜bob@example.com＞
From: Adam ＜adam@example.com＞
・・・
m=application 1234 TCP HTTP 
a=Web server
このように、図３のブロック３２０では、ＳＩＰメッセージの交換の後、通信セッションが機器１０と、ウェブサーバ機能が、ＳＤＰにより提供されるセッション・メタデータ記述機能を利用してネゴーシエイトされた移動体端末２０との間で確立される。
【００５７】
ブロック３３０では、Ｓ−ＣＳＣＦが、上述のようにＩＭＳネットワークへの登録の際に移動体端末２０のＩＰアドレスを移動体端末２０のＳＩＰアドレスと結びつけているので、移動体端末２０のＩＰアドレスがＩＭＳネットワーク１１０を介して機器１０へ提供される。機器１０は、例えば、ウェブページや他のサービスをウェブサーバ２７５から要求するためのウェブサービス要求を生成するために、このＩＰアドレスを利用する。当該要求は、ブロック３４０で移動体端末２０が受信する。ウェブサーバ２７５は、ブロック３５０において、要求されたウェブサービスを機器１０へ送信する。
【００５８】
本発明の他の実施形態では、追加のセキュリティが、メディア記述フィールド"m="におけるフォーマット記述サブフィールドとしてＨＴＴＰＳ（HTTP plus the Secure Socket Layer (SSL) protocol）を利用して提供されてもよい。もし、認証のみが求められ、セキュアな接続が必要とされない場合、従来的なＳＩＰ及び／又はＨＴＴＰ認証が利用されてもよい。
【００５９】
図３のフローチャートは、プライベートＩＰアドレスを有するＩＰ電話ベースのウェブサーバを発見するための方法、電子機器、通信ネットワーク及び／又はコンピュータプログラムの実施形態のアーキテクチャ、機能及び動作を示している。この点で、各ブロックは、特定の論理機能を実施するための１以上の実行可能な命令を含むモジュール、セグメント或いはコードの一部を表すことになる。他の実施形態において、ブロックで定義される機能が、図３に記載された順序とは異なる順序において実施されてもよいことに注意すべきである。例えば、連続する２つのブロックは、実際には、実質的に同時に実行されてもよいし、或いは、逆順で実行されてもよい。これらは、全て包含される機能に依存するものである。
【００６０】
本発明の原理から実質的に逸脱することなく、実施形態に様々な変更や修正を行うことができる。そのような変更や修正は全て、特許請求の範囲で記載される本発明の範囲に含まれることが意図されている。
【図１】
2010516131.tif 000003
【図２】
2010516131.tif 000004
【図３】
2010516131.tif 000005
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
ウェブサービスを提供させるために、電子機器を動作させる方法であって、
通信セッションにおける前記ウェブサービスに対する接続の要求を示すセッション記述プロトコル（ＳＤＰ）部を含むセッション開始プロトコル（ＳＩＰ）招待メッセージを要求機器から受信する工程と、
前記ＳＩＰを利用して通信セッションを前記電子機器と、前記要求機器との間で確立する工程と、
前記電子機器のインターネットプロトコル（ＩＰ）アドレスを、前記ＳＩＰを利用して前記要求機器へ提供する工程と、
前記ＩＰアドレスを利用した前記電子機器に対する要求を、前記要求機器から受信する工程と、
前記要求の受信に応じて、前記ウェブサービスを前記要求機器へ提供する工程と
を備えることを特徴とする方法。
【請求項２】
前記通信セッションを確立する工程は、ＩＰマルチメディア・サブシステム（ＩＭＳ）ネットワークを介して、該通信セッションを確立する工程を含むことを特徴とする請求項１に記載の方法。
【請求項３】
前記電子機器と関連づけられたプロファイルを、前記ＩＭＳネットワーク内のホーム加入者サーバ（ＨＳＳ）データベースに登録する工程をさらに備え、
前記プロファイルは、前記要求機器から前記電子機器へのＳＩＰ呼を完了させるために利用される前記電子機器のＳＩＰアドレスを含む
ことを特徴とする請求項２に記載の方法。
【請求項４】
前記ＳＤＰ部は、アプリケーションに設定されたメディア・サブフィールドを含むメディア記述フィールド（ｍ＝）と、ハイパーテキスト転送プロトコル（ＨＴＴＰ）に設定されたフォーマット・サブフィールド（ｆｍｔ）とを含むことを特徴とする請求項１に記載の方法。
【請求項５】
前記ＳＤＰ部はさらに、ＨＴＴＰが前記ウェブサービスへのアクセスに利用されることを示すために、ウェブサーバ属性を含む属性フィールド（ａ＝）を含むことを特徴とする請求項４に記載の方法。
【請求項６】
前記電子機器が、移動体端末であることを特徴とする請求項１乃至５のいずれか１項に記載の方法。
【請求項７】
コンピュータ可読媒体上に具現化されたコンピュータ可読プログラムコードを含むコンピュータプログラムであって、
前記コンピュータ可読プログラムコードは、請求項１に記載の方法を実行するように構成されていることを特徴とするコンピュータプログラム。
【請求項８】
電子機器であって、
通信セッションにおけるウェブサービスに対する接続の要求を示すセッション記述プロトコル（ＳＤＰ）部を含むセッション開始プロトコル（ＳＩＰ）招待メッセージを要求機器から受信し、通信セッションを前記電子機器と前記要求機器との間で、前記ＳＩＰを利用して確立し、該電子機器のインターネットプロトコル（ＩＰ）アドレスを該要求機器に前記ＳＩＰを利用して提供するように構成された通信モジュールと、
前記ＩＰアドレスを利用した前記要求機器からの前記電子機器に対する要求を受信し、該要求の受信に応じてウェブサービスを前記要求機器に提供するように構成されたウェブサーバと
を備えることを特徴とする電子機器。
【請求項９】
前記通信モジュールは、ＩＰマルチメディア・サブシステム（ＩＭＳ）ネットワークを介して前記通信セッションを確立するようにさらに構成されていることを特徴とする請求項８に記載の電子機器。
【請求項１０】
前記通信モジュールは、前記電子機器と関連づけられたプロファイルを、前記ＩＭＳネットワーク内のホーム加入者サーバ（ＨＳＳ）データベースに登録するように更に構成され、
前記プロファイルは、前記要求機器から前記電子機器へのＳＩＰ呼を完了させるために利用される前記電子機器のＳＩＰアドレスを含む
ことを特徴とする請求項９に記載の電子機器。
【請求項１１】
前記ＳＤＰ部は、アプリケーションに設定されたメディア・サブフィールドを含むメディア記述フィールド（ｍ＝）と、ハイパーテキスト転送プロトコル（ＨＴＴＰ）に設定されたフォーマット・サブフィールド（ｆｍｔ）とを含むことを特徴とする請求項８に記載の電子機器。
【請求項１２】
前記ＳＤＰ部はさらに、ＨＴＴＰが前記ウェブサービスへのアクセスに利用されることを示すために、ウェブサーバ属性を含む属性フィールド（ａ＝）を含むことを特徴とする請求項１１に記載の電子機器。
【請求項１３】
移動体端末であることを特徴とする請求項８乃至１１のいずれか１項に記載の電子機器。
【請求項１４】
通信ネットワークを動作させる方法であって、
第１の電子機器に、パブリック・インターネットプロトコル（ＩＰ）アドレスを有しない第２の電子機器がウェブサーバを有することを通知するためにセッション開始プロトコル（ＳＩＰ）を利用する工程
を備えることを特徴とする方法。
【請求項１５】
前記第１の電子機器に前記第２の電子機器がウェブサーバを有することを通知するために前記ＳＩＰを利用する工程は、前記第２の電子機器のＩＰアドレスを前記第１の電子機器に提供するためにＳＩＰを利用する工程を含むことを特徴とする請求項１４に記載の方法。
【請求項１６】
ウェブサービスの要求を、前記第２の電子機器のＩＰアドレスを利用して、前記第１の電子機器から前記第２の電子機器のウェブサーバへ送信する工程と、
前記ウェブサービスを前記第２の電子機器から前記第１の電子機器へ、前記第２の電子機器での前記要求の受信に応じて提供する工程と
を更に備えることを特徴とする請求項１５に記載の方法。
【請求項１７】
前記通信ネットワークは、ＩＰマルチメディア・サブシステム（ＩＭＳ）ネットワークであることを特徴とする請求項１６に記載の方法。
【請求項１８】
前記第２の電子機器と関連づけられたプロファイルを、前記ＩＭＳネットワーク内のホーム加入者サーバ（ＨＳＳ）データベースに登録する工程をさらに備え、
前記プロファイルは、前記第１の電子機器から前記第２の電子機器へのＳＩＰ呼を完了させるために利用される前記第２の電子機器のＳＩＰアドレスを含む
ことを特徴とする請求項１７に記載の方法。
【請求項１９】
前記第２の電子機器は、移動体端末であることを特徴とする請求項１４乃至１８のいずれか１項に記載の方法。
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
ウェブサービスを提供させるために、電子機器を動作させる方法であって、
通信セッションにおける前記ウェブサービスに対する接続の要求を示すセッション記述プロトコル（ＳＤＰ）部を含むセッション開始プロトコル（ＳＩＰ）招待メッセージを要求機器から受信する工程と、
前記ＳＩＰを利用して通信セッションを前記電子機器と、前記要求機器との間で確立する工程と、
前記電子機器のインターネットプロトコル（ＩＰ）アドレスを、前記ＳＩＰを利用して前記要求機器へ提供する工程と、
前記ＩＰアドレスを利用した前記電子機器に対する要求を、前記要求機器から受信する工程と、
前記要求の受信に応じて、前記ウェブサービスを前記要求機器へ提供する工程と
を備えることを特徴とする方法。
【請求項２】
前記電子機器と関連づけられたプロファイルを、前記ＩＭＳネットワーク内のホーム加入者サーバ（ＨＳＳ）データベースに登録する工程をさらに備え、
前記プロファイルは、前記要求機器から前記電子機器へのＳＩＰ呼を完了させるために利用される前記電子機器のＳＩＰアドレスを含む
ことを特徴とする請求項１に記載の方法。
【請求項３】
前記ＳＤＰ部は、アプリケーションに設定されたメディア・サブフィールドを含むメディア記述フィールド（ｍ＝）と、ハイパーテキスト転送プロトコル（ＨＴＴＰ）に設定されたフォーマット・サブフィールド（ｆｍｔ）とを含むことを特徴とする請求項１に記載の方法。
【請求項４】
前記ＳＤＰ部はさらに、ＨＴＴＰが前記ウェブサービスへのアクセスに利用されることを示すために、ウェブサーバ属性を含む属性フィールド（ａ＝）を含むことを特徴とする請求項３に記載の方法。
【請求項５】
前記電子機器が、移動体端末であることを特徴とする請求項１に記載の方法。
【請求項６】
電子機器であって、
通信セッションにおけるウェブサービスに対する接続の要求を示すセッション記述プロトコル（ＳＤＰ）部を含むセッション開始プロトコル（ＳＩＰ）招待メッセージを要求機器から受信し、通信セッションを前記電子機器と前記要求機器との間で、前記ＳＩＰを利用して確立し、該電子機器のインターネットプロトコル（ＩＰ）アドレスを該要求機器に前記ＳＩＰを利用して提供するように構成された通信モジュールと、
前記ＩＰアドレスを利用した前記要求機器からの前記電子機器に対する要求を受信し、該要求の受信に応じてウェブサービスを前記要求機器に提供するように構成されたウェブサーバと
を備えることを特徴とする電子機器。
【請求項７】
移動体端末であることを特徴とする請求項６に記載の電子機器。
【請求項８】
通信ネットワークを動作させる方法であって、
第１の電子機器に、パブリック・インターネットプロトコル（ＩＰ）アドレスを有しない第２の電子機器がウェブサーバを有することを通知するためにセッション開始プロトコル（ＳＩＰ）を利用する工程
を備えることを特徴とする方法。
【請求項９】
前記第１の電子機器に前記第２の電子機器がウェブサーバを有することを通知するために前記ＳＩＰを利用する工程は、前記第２の電子機器のＩＰアドレスを前記第１の電子機器に提供するためにＳＩＰを利用する工程を含むことを特徴とする請求項８に記載の方法。
【請求項１０】
ウェブサービスの要求を、前記第２の電子機器のＩＰアドレスを利用して、前記第１の電子機器から前記第２の電子機器のウェブサーバへ送信する工程と、
前記ウェブサービスを前記第２の電子機器から前記第１の電子機器へ、前記第２の電子機器での前記要求の受信に応じて提供する工程と
を更に備えることを特徴とする請求項９に記載の方法。
【国際調査報告】
2010516131.tif 000006
2010516131.tif 000007